(57)【特許請求の範囲】
【請求項１】
インクを媒体に吐出可能な複数のノズルが並べられて構成されるノズル列として、前記インクのうちの第１インクを吐出可能な第１ノズル列と、前記第１インクの前記媒体に対する浸透を補助する前記インクのうちの第２インクを吐出可能な第２ノズル列と、が設けられ、走査方向に移動可能な走査部と、
前記ノズル列からの前記インクの吐出を制御可能な制御部と、を備え、
前記第１ノズル列及び前記第２ノズル列は、前記走査方向と交差する方向に前記ノズルが並べられて各々構成されるとともに、前記走査方向から見て重なる位置に配置され、
前記制御部は、前記第２インクの吐出量が前記第１インクの吐出量よりも多くなるように、前記走査部を前記走査方向に移動させつつ前記第２ノズル列から前記第２インクを吐出させ、該移動中における該第２インクの吐出領域に対して該第２インクの吐出の後に該移動中において前記第１ノズル列から前記第１インクを吐出させることを特徴とする記録装置。
【請求項２】
請求項１に記載の記録装置において、
前記走査部は、前記走査方向に往復移動可能であり、
前記第１ノズル列及び前記第２ノズル列は、少なくとも一方が複数設けられるとともに、前記走査方向のうちの往路方向及び復路方向の両方向において、前記第１ノズル列が前記第２ノズル列よりも後方に位置するよう配置され、
前記制御部は、前記往路方向への前記走査部の移動と前記復路方向への前記走査部の移とで、前記第１ノズル列及び前記第２ノズル列の少なくとも一方における前記インクを
吐出するノズル列を切り替えることを特徴とする記録装置。
【請求項３】
請求項２に記載の記録装置において、
前記第１ノズル列は、前記走査方向において、前記第２ノズル列の両側に設けられていることを特徴とする記録装置。
【請求項４】
請求項２又は３に記載の記録装置において、
前記第２ノズル列は、前記走査方向において、前記第１ノズル列の両側に設けられていることを特徴とする記録装置。
【請求項５】
請求項１に記載の記録装置において、
前記第１ノズル列は、前記走査方向において、前記第２ノズル列の片側に設けられ、
前記走査部は、前記走査方向に往復移動可能であり、
前記制御部は、前記走査方向のうちの往路方向及び復路方向のうちの、前記走査部を前記走査方向に移動させつつ前記第１ノズル列及び前記第２ノズル列から前記インクを吐出させた場合に、該移動中の該走査方向において前記第２ノズル列よりも前記第１ノズル列が後方に位置する方向において、前記第１ノズル列及び前記第２ノズル列から前記インクを吐出させることを特徴とする記録装置。
【請求項６】
請求項１から５のいずれか１項に記載の記録装置において、
前記走査部は、前記第１ノズル列と前記第２ノズル列との両方が設けられた記録ヘッドを備えることを特徴とする記録装置。
【請求項７】
請求項１から６のいずれか１項に記載の記録装置において、
前記走査部は、前記第１ノズル列が設けられた記録ヘッドと前記第２ノズル列が設けられた記録ヘッドとを備えることを特徴とする記録装置。
【請求項８】
インクを媒体に吐出可能な複数のノズルが並べられて構成されるノズル列として、前記インクのうちの第１インクを吐出可能な第１ノズル列と、前記第１インクの前記媒体に対する浸透を補助する前記インクのうちの第２インクを吐出可能な第２ノズル列と、が設けられ、走査方向に移動可能な走査部と、を備え、
前記第１ノズル列及び前記第２ノズル列は、前記走査方向と交差する方向に前記ノズルが並べられて各々構成されるとともに、前記走査方向から見て重なる位置に配置される、記録装置を用いて行う記録方法であって、
前記第２インクの吐出量が前記第１インクの吐出量よりも多くなるように、前記走査部を前記走査方向に移動させつつ前記第２ノズル列から前記第２インクを吐出させ、該移動中における該第２インクの吐出領域に対して該第２インクの吐出の後に該移動中において前記第１ノズル列から前記第１インクを吐出させることを特徴とする記録方法。
【発明の詳細な説明】
【技術分野】
【０００１】
本発明は、記録装置及び記録方法に関する。
【背景技術】
【０００２】
従来から、被記録媒体（媒体）にノズルからインクを吐出して記録する記録装置が開示されている。このような記録装置においては、インクミストがノズルの形成部分などに付着して溜まり、そのインクミストが被記録媒体に垂れて被記録媒体を汚してしまう場合があった。このため、インクミストがノズルの形成部分などに付着することを抑制する技術が開示されている。  
例えば、特許文献１には、記録に伴うインクの吐出とは別に実行するインクの吐出（ダミージェット）においてインクミストがノズルの形成部分などに付着することを抑制することが可能な、記録装置が開示されている。
【先行技術文献】
【特許文献】
【０００３】
【特許文献１】特開２０１４−２０８４２４号公報
【発明の概要】
【発明が解決しようとする課題】
【０００４】
近年の記録装置においては、様々な種類の被記録媒体に対して、様々な態様で記録が実行されている。例えば、被記録媒体としての布帛に対して、インクが吐出される記録面だけでなく該記録面とは反対側の面までインクが十分に浸透するように、記録を実行する場合がある。このような場合、画像形成用のインクの他に、該画像形成用のインクを記録面とは反対側の面まで十分に浸透させるための、浸透インクを被記録媒体に吐出させることが行われている。ここで、一般的に、浸透インクの使用量（吐出量）は多くなる場合が多い。浸透インクを多く吐出させると、空気中のインク滴の移動に伴って生ずる空気流がエアカーテン（該浸透インクのカーテン）を形成し、該浸透インクのカーテンにより、画像形成用のインクに起因するインクミストの逃げ道が遮断され、該インクミストがノズルの形成部分などに付着する場合があった。  
特許文献１に開示される記録装置のような従来の記録装置においては、このようなインクミストの付着を抑制することができる構成にはなっておらず、インクミストの付着を抑制する効果が不十分であった。
【０００５】
そこで、本発明の目的は、インクミストの付着を抑制することである。
【課題を解決するための手段】
【０００６】
上記課題を解決するための本発明の第１の態様の記録装置は、インクを媒体に吐出可能な複数のノズルが並べられて構成されるノズル列として、前記インクのうちの第１インクを吐出可能な第１ノズル列と、前記インクのうちの無色の第２インクを吐出可能な第２ノズル列と、が設けられ、走査方向に移動可能な走査部と、前記ノズル列からの前記インクの吐出を制御可能な制御部と、を備え、前記第１ノズル列及び前記第２ノズル列は、前記走査方向と交差する方向に前記ノズルが並べられて各々構成されるとともに、前記走査方向から見て重なる位置に配置され、前記制御部は、前記走査部を前記走査方向に移動させつつ前記第２ノズル列から前記第２インクを吐出させ、該移動中における該第２インクの吐出領域に対して該第２インクの吐出の後に該移動中において前記第１ノズル列から前記第１インクを吐出させることを特徴とする。
【０００７】
本発明の第２の態様の記録装置は、前記第１の態様において、前記走査部は、前記走査方向に往復移動可能であり、前記第１ノズル列及び前記第２ノズル列は、少なくとも一方が複数設けられるとともに、前記走査方向のうちの往路方向及び復路方向の両方向において、前記第１ノズル列が前記第２ノズル列よりも後方に位置するよう配置され、前記制御部は、前記往路方向への前記走査部の移動と前記復路方向への前記走査部の移動とで、前記第１ノズル列及び前記第２ノズル列の少なくとも一方における前記インクを吐出するノズル列を切り替えることを特徴とする。
【０００８】
本発明の第３の態様の記録装置は、前記第２の態様において、前記第１ノズル列は、前記走査方向において、前記第２ノズル列の両側に設けられていることを特徴とする。
【０００９】
本発明の第４の態様の記録装置は、前記第２又は第３の態様において、前記第２ノズル列は、前記走査方向において、前記第１ノズル列の両側に設けられていることを特徴とする。
【００１０】
本発明の第５の態様の記録装置は、前記第１の態様において、前記第１ノズル列は、前記走査方向において、前記第２ノズル列の片側に設けられ、前記走査部は、前記走査方向に往復移動可能であり、前記制御部は、前記走査方向のうちの往路方向及び復路方向のうちの、前記走査部を前記走査方向に移動させつつ前記第１ノズル列及び前記第２ノズル列から前記インクを吐出させた場合に、該移動中の該走査方向において前記第２ノズル列よりも前記第１ノズル列が後方に位置する方向において、前記第１ノズル列及び前記第２ノズル列から前記インクを吐出させることを特徴とする。
【００１１】
本発明の第６の態様の記録装置は、前記第１から第５のいずれか１つの態様において、前記走査部は、前記第１ノズル列と前記第２ノズル列との両方が設けられた記録ヘッドを備えることを特徴とする。
【００１２】
本発明の第７の態様の記録装置は、前記第１から第６のいずれか１つの態様において、前記走査部は、前記第１ノズル列が設けられた記録ヘッドと前記第２ノズル列が設けられた記録ヘッドとを備えることを特徴とする。
【発明の効果】
【００１３】
本発明によれば、インクミストの付着を抑制することができる。
【図面の簡単な説明】
【００１４】
【図１】本発明の実施例１の記録装置を表す概略側面図。
【図２】本発明の実施例１の記録装置を表すブロック図。
【図３】本発明の実施例１の記録装置の要部を表す概略図。
【図４】本発明の実施例２の記録装置の要部を表す概略図。
【図５】本発明の実施例３の記録装置の要部を表す概略図。
【図６】本発明の実施例４の記録装置の要部を表す概略図。
【図７】本発明の実施例５の記録装置の要部を表す概略図。
【図８】本発明の実施例６の記録装置の要部を表す概略図。
【発明を実施するための形態】
【００１５】
［実施例１］（図１〜図３）  
以下に、本発明の実施例に係る記録装置について、添付図面を参照して詳細に説明する。  
最初に、本発明の実施例１に係る記録装置１の概要について説明する。  
図１は本実施例の記録装置１の概略側面図である。
【００１６】
本実施例の記録装置１は、記録を行うための被記録媒体（媒体）ＰのロールＲ１を繰り出すことが可能な繰出部２を備えている。また、粘着剤が付着された支持面Ｆで被記録媒体Ｐを支持する粘着性ベルト１０（無端ベルト）により被記録媒体Ｐを搬送方向Ａに搬送する搬送機構３を備えている。また、記録ヘッド７を備えた走査部としてのキャリッジ１９を被記録媒体Ｐの搬送方向Ａと交差する走査方向Ｂに往復走査させて記録する記録機構４を備えている。また、粘着性ベルト１０の洗浄機構１５を備えている。さらに、被記録媒体Ｐを巻き取る巻取軸１７を有する巻取機構１８を備えている。
【００１７】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１８】
搬送機構３は、繰出部２から繰り出された被記録媒体Ｐを載置して搬送する粘着性ベルト１０と、粘着性ベルト１０を方向Ｅに移動させる駆動ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、駆動ローラー８は回転方向Ｃに回転する。  
ただし、搬送ベルトとしての無端ベルトは粘着性ベルトに限定されない。例えば、静電吸着式の無端ベルトを用いてもよい。  
なお、本実施例の記録装置１は、このような構成の搬送機構を備えていることにより、被記録媒体Ｐとして、布帛を使用可能な構成になっている。ただし、このような構成の搬送機構に限定されず、被記録媒体Ｐを移動式の支持トレイなどに支持させて搬送する構成や、被記録媒体Ｐをローラー対などにより搬送させる構成などとしてもよい。さらには、被記録媒体Ｐを支持部に固定させ、固定された被記録媒体に対して記録ヘッドを移動させて記録する、所謂フラッドベッドタイプの記録装置としてもよい。
【００１９】
記録機構４は、記録ヘッド７を備えるキャリッジ１９を走査方向Ｂに往復移動させるキャリッジモーター３０（図２参照）を有している。なお、図１において走査方向Ｂは紙面に対して垂直方向である。  
記録の際、記録ヘッド７を備えるキャリッジ１９を往復走査させて記録するが、記録走査中（キャリッジ１９の移動中）は、搬送機構３は被記録媒体Ｐの搬送を停止させる。別の表現をすると、記録の際、キャリッジ１９の往復走査と被記録媒体Ｐの搬送は交互に行われる。すなわち、記録の際、キャリッジ１９の往復走査に対応して、搬送機構３は被記録媒体Ｐを間欠搬送（粘着性ベルト１０を間欠移動）させている。  
なお、詳細は後述するが、本実施例の記録装置１は、記録ヘッド７から第１インクＩ１（図３参照）としての画像形成用のカラーインクのほか、第２インクＩ２（図３参照）としての浸透インクを吐出して記録可能な構成になっている。このため、例えば、被記録媒体Ｐとして布帛を使用した場合に、インクＩ（図３参照）が吐出される記録面だけでなく該記録面とは反対側の面までインクＩが十分に浸透するように記録することが可能な構成になっている。
【００２０】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２１】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２２】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２３】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２及び巻取モーター３３を駆動させるためのモーター駆動部２９と接続されている。  
ここで、キャリッジモーター３０は、記録ヘッド７を備えたキャリッジ１９を移動させるためのモーターである。また、搬送モーター３１は、駆動ローラー８を駆動するためのモーターである。また、繰出モーター３２は、回転軸５の回転機構であり、被記録媒体Ｐを搬送機構３に送り出すために回転軸５を駆動するモーターである。そして、巻取モーター３３は、巻取軸１７を回転させるための駆動モーターである。
【００２４】
また、ＣＰＵ２４は、システムバス２５を介して、入出力部２１と接続されており、入出力部２１は、記録データ等のデータ及び信号の送受信を行うためのＰＣ２２と接続されている
【００２５】
次に、本実施例の記録装置１の要部であるキャリッジ１９について説明する。  
図３は、本実施例のキャリッジ１９に備えられた記録ヘッド７を表す概略図である。このうち、図３（Ａ）は記録ヘッド７の概略底面図であり、図３（Ｂ）及び（Ｃ）は記録ヘッド７の概略正面図である。
【００２６】
上記のように、本実施例の記録装置１は、記録ヘッド７から画像形成用のカラーインクである第１インクＩ１と、浸透インクである第２インクＩ２を吐出して記録可能である。ここで、浸透インクである第２インクＩ２は、画像形成用のカラーインクである第１インクＩ１の被記録媒媒体Ｐに対する浸透を補助するインクであり、有効量の色材を含まない実質的に無色のインクである。そして、図３（Ａ）で表されるように、本実施例の記録ヘッド７には、ノズル列Ｎとして、第１インクＩ１を吐出する第１ノズル列Ｎ１と、第２インクＩ２を吐出する第２ノズル列Ｎ２と、が設けられている。詳細には、第１ノズル列Ｎ１と第２ノズル列Ｎ２とは走査方向Ｂから見て重なる位置に配置され、第２ノズル列Ｎ２は走査方向Ｂにおいて第１ノズル列Ｎ１を挟むように設けられている。
【００２７】
一般的に、浸透インク（第２インクＩ２）の使用量（吐出量）は、多くなる場合が多い。このため、従来の記録装置においては、浸透インクを多く吐出させることに伴って生じる該浸透インクのカーテンにより、画像形成用のインク（第１インクＩ１）に起因するインクミストＩｍの逃げ道が遮断され、該インクミストＩｍがノズルの形成部分などに付着する場合があった。
【００２８】
そこで、本実施例の記録装置１は、制御部２３が第１ノズル列Ｎ１及び第２ノズル列Ｎ２からのインクＩの吐出を制御することにより、第２インクＩ２のカーテンにより第１インクＩ１に起因するインクミストＩｍの逃げ道が遮断されないよう記録することが可能な構成になっている。  
具体的には、走査方向Ｂのうちの往路方向Ｂ１にキャリッジ１９を移動させながら記録を行う（インクＩを吐出させる）場合は、図３（Ｂ）で表されるように、第１ノズル列Ｎ１と、往路方向Ｂ１における先方側の第２ノズル列Ｎ２と、により記録を行う。そして、走査方向Ｂのうちの復路方向Ｂ２にキャリッジ１９を移動させながら記録を行う場合は、図３（Ｃ）で表されるように、第１ノズル列Ｎ１と、復路方向Ｂ２における先方側の第２ノズル列Ｎ２と、により記録を行う。なお、往路方向Ｂ１及び復路方向Ｂ２は、図中の方向と対応関係が逆であってもよい。
【００２９】
このように記録を行うことで、キャリッジ１９の移動方向における後方側（下流側）に第２インクＩ２のカーテンが形成されることを抑制できる。このため、第２インクＩ２のカーテンにより第１インクＩ１に起因するインクミストＩｍの逃げ道が遮断されないよう記録することができる。  
なお、キャリッジ１９の移動方向における先方側（上流側）には第２インクＩ２のカーテンが形成されるが、第１インクＩ１に起因するインクミストＩｍはキャリッジ１９の移動方向における後方側（下流側）に逃げることができるため、記録ヘッド７にインクミストＩｍが付着することは抑制される。
【００３０】
上記をまとめると、本実施例の記録装置１は、インクＩを被記録媒体Ｐに吐出可能な複数のノズルが並べられて構成されるノズル列Ｎとして、インクＩのうちの第１インクＩ１を吐出可能な第１ノズル列Ｎ１と、インクＩのうちの無色の第２インクＩ２を吐出可能な第２ノズル列Ｎ２と、が設けられ、走査方向Ｂに移動可能なキャリッジ１９を備えている。また、ノズル列ＮからのインクＩの吐出を制御可能な制御部２３を備えている。  
ここで、第１ノズル列Ｎ１及び第２ノズル列Ｎ２は、図３（Ａ）で表されるように、走査方向Ｂと交差する方向にノズルが並べられて各々構成されるとともに、走査方向Ｂから見て重なる位置に配置されている。  
そして、制御部２３は、キャリッジ１９を走査方向Ｂに移動させつつ第２ノズル列Ｎ２から第２インクＩ２を吐出させ、該移動中における該第２インクＩ２の吐出領域に対して該第２インクＩ２の吐出の後に該移動中において第１ノズル列Ｎ１から第１インクＩ１を吐出させることができる。すなわち、該移動中の該走査方向Ｂにおいて第２ノズル列Ｎ２よりも後方に位置する第１ノズル列Ｎ１から第１インクＩ１を吐出させることができる。  
制御部２３がこのようなインクＩの吐出制御を行うことにより、浸透インク（第２インクＩ２）を多く吐出させることに伴って生じる該浸透インクのカーテンにより画像形成用のカラーインク（第１インクＩ１）に起因するインクミストＩｍの逃げ道（走査方向Ｂにおける後方側）が遮断される、ということを抑制できる。このため、本実施例の記録装置１は、インクミストＩｍの付着を抑制することができる構成になっている。  
なお、本実施例のキャリッジ１９には、複数の第１ノズル列Ｎ１を各々１つの第２ノズル列Ｎ２で挟む配置になっているが、このような構成に限定されず、１つの第１ノズル列Ｎ１を各々１つの第２ノズル列Ｎ２で挟む配置、１つの第１ノズル列Ｎ１を各々複数の第２ノズル列Ｎ２で挟む配置、複数の第１ノズル列Ｎ１を各々複数の第２ノズル列Ｎ２で挟む配置、などとしてもよい。
【００３１】
また、別の表現をすると、本実施例の記録装置１においては、キャリッジ１９は走査方向Ｂに往復移動可能である。また、第１ノズル列Ｎ１及び第２ノズル列Ｎ２は少なくとも一方が複数設けられるとともに走査方向Ｂのうちの往路方向Ｂ１及び復路方向Ｂ２の両方向において第１ノズル列Ｎ１が第２ノズル列Ｎ２よりも後方に位置するよう配置されている。そして、制御部２３は、往路方向Ｂ１へのキャリッジ１９の移動と復路方向Ｂ２へのキャリッジ１９の移動とで、第１ノズル列Ｎ１及び第２ノズル列Ｎ２の少なくとも一方におけるインクＩを吐出するノズル列Ｎを切り替えることができる。具体的には、走査方向Ｂのうちの往路方向Ｂ１及び復路方向Ｂ２の両方向において先方側の第２ノズル列Ｎ２と第１ノズル列Ｎ１とでインクＩを吐出するよう切り替える。  
このため、このような構成として走査方向Ｂにおける後方側のインクミストＩｍの逃げ道が遮断されることを抑制することで、走査方向Ｂのうちの往路方向Ｂ１及び復路方向Ｂ２の両方向においてインクＩを吐出できるとともに、該両方向においてインクミストＩｍの付着を抑制している。
【００３２】
また、図３（Ａ）で表されるように、第２ノズル列Ｎ２は、走査方向Ｂにおいて、第１ノズル列Ｎ１の両側に設けられている。すなわち、第２ノズル列Ｎ２を走査方向Ｂにおいて第１ノズル列Ｎ１の両側に設けることで、図３（Ｂ）及び（Ｃ）で表されるように、走査方向Ｂのうちの往路方向Ｂ１及び復路方向Ｂ２の両方向において、キャリッジ１９の移動方向における後方側に第２インクＩ２のカーテンが形成されることを抑制し、インクミストＩｍの付着を抑制している。
【００３３】
なお、本実施例のキャリッジ１９は、図３（Ａ）で表されるように、第１ノズル列Ｎ１と第２ノズル列Ｎ２との両方が設けられた記録ヘッド７を備えている。このように、本実施例の記録装置１は、キャリッジ１９に第１ノズル列Ｎ１と第２ノズル列Ｎ２との両方が設けられた記録ヘッド７を備える構成において、インクミストＩｍの付着を抑制している。ただし、このような構成に限定されない。
【００３４】
［実施例２］（図４）  
次に、本発明の実施例２に係る記録装置について説明する。  
図４は本発明の実施例２に係る記録装置１の要部であるキャリッジ１９に備えられた記録ヘッド７を表す概略図である。このうち、図４（Ａ）は記録ヘッド７の概略底面図であり、実施例１の記録装置１を表す図３（Ａ）に対応している。また、図４（Ｂ）及び（Ｃ）は記録ヘッド７の概略正面図であり、実施例１の記録装置１を表す図３（Ｂ）及び（Ｃ）に対応している。  
なお、上記実施例１と共通する構成部材は同じ符号で示しており、詳細な説明は省略する。  
本実施例の記録装置１は、キャリッジ１９に備えられた記録ヘッド７の構成のみが実施例１の記録装置１と相違する。
【００３５】
実施例１のキャリッジ１９は、第１ノズル列Ｎ１と第２ノズル列Ｎ２との両方が設けられた記録ヘッド７を備えている構成であった。  
一方、本実施例のキャリッジ１９は、図４で表されるように、記録ヘッド７として、第１ノズル列Ｎ１が設けられた記録ヘッド７ａと、第２ノズル列Ｎ２が設けられた２つの記録ヘッド７ｂと、を備える構成である。
【００３６】
図４で表されるように、本実施例の記録装置１は、第１ノズル列Ｎ１が設けられた記録ヘッド７ａと第２ノズル列Ｎ２が設けられた記録ヘッド７ｂとを備えるキャリッジ１９を備えている。そして、第１ノズル列Ｎ１と第２ノズル列Ｎ２との位置関係及びその制御方法は、実施例１のキャリッジ１９と同様である。  
すなわち、本実施例の記録装置１は、キャリッジ１９に第１ノズル列Ｎ１が設けられた記録ヘッド７ａと第２ノズル列Ｎ２が設けられた記録ヘッド７ｂとを備える構成において、実施例１の記録装置と同様に、インクミストＩｍの付着を抑制することができる構成になっている。
【００３７】
［実施例３］（図５）  
次に、本発明の実施例３に係る記録装置について説明する。  
図５は本発明の実施例３に係る記録装置１の要部であるキャリッジ１９に備えられた記録ヘッド７を表す概略図である。このうち、図５（Ａ）は記録ヘッド７の概略底面図であり、実施例１の記録装置１を表す図３（Ａ）に対応している。また、図５（Ｂ）及び（Ｃ）は記録ヘッド７の概略正面図であり、実施例１の記録装置１を表す図３（Ｂ）及び（Ｃ）に対応している。  
なお、上記実施例１及び２と共通する構成部材は同じ符号で示しており、詳細な説明は省略する。  
本実施例の記録装置１は、キャリッジ１９に備えられた記録ヘッド７の構成及びその制御方法のみが実施例１及び２の記録装置１と相違する。
【００３８】
実施例１のキャリッジ１９は、第２ノズル列Ｎ２が走査方向Ｂにおいて第１ノズル列Ｎ１の両側に設けられる構成であった。  
一方、本実施例のキャリッジ１９は、図５で表されるように、第１ノズル列Ｎ１が走査方向Ｂにおいて第２ノズル列Ｎ２の両側に設けられる構成である。
【００３９】
図５で表されるように、本実施例の記録装置１は、第１ノズル列Ｎ１が走査方向Ｂにおいて第２ノズル列Ｎ２の両側に設けられている。そして、走査方向Ｂのうちの往路方向Ｂ１にキャリッジ１９を移動させながら記録を行う場合は、図５（Ｂ）で表されるように、第２ノズル列Ｎ２と、往路方向Ｂ１における後方側の第１ノズル列Ｎ１と、により記録を行う。そして、走査方向Ｂのうちの復路方向Ｂ２にキャリッジ１９を移動させながら記録を行う場合は、図５（Ｃ）で表されるように、第２ノズル列Ｎ２と、復路方向Ｂ２における後方側の第１ノズル列Ｎ１と、により記録を行う。  
すなわち、本実施例の記録装置１は、第１ノズル列Ｎ１を走査方向Ｂにおいて第２ノズル列Ｎ２の両側に設ける構成において、実施例１の記録装置と同様に、インクミストＩｍの付着を抑制することができる構成になっている。
【００４０】
［実施例４］（図６）  
次に、本発明の実施例４に係る記録装置について説明する。  
図６は本発明の実施例４に係る記録装置１の要部であるキャリッジ１９に備えられた記録ヘッド７を表す概略図である。このうち、図６（Ａ）は記録ヘッド７の概略底面図であり、実施例１の記録装置１を表す図３（Ａ）に対応している。また、図６（Ｂ）及び（Ｃ）は記録ヘッド７の概略正面図であり、実施例１の記録装置１を表す図３（Ｂ）及び（Ｃ）に対応している。  
なお、上記実施例１から３と共通する構成部材は同じ符号で示しており、詳細な説明は省略する。  
本実施例の記録装置１は、キャリッジ１９に備えられた記録ヘッド７の構成のみが実施例３の記録装置１と相違する。
【００４１】
実施例３のキャリッジ１９は、第１ノズル列Ｎ１と第２ノズル列Ｎ２との両方が設けられた記録ヘッド７を備えている構成であった。  
一方、本実施例のキャリッジ１９は、図６で表されるように、記録ヘッド７として、第１ノズル列Ｎ１が設けられた２つの記録ヘッド７ａと、第２ノズル列Ｎ２が設けられた記録ヘッド７ｂと、を備える構成である。そして、第１ノズル列Ｎ１と第２ノズル列Ｎ２との位置関係及びその制御方法は、実施例３のキャリッジ１９と同様である。  
すなわち、本実施例の記録装置１は、実施例３の記録装置と同様に、インクミストＩｍの付着を抑制することができる構成になっている。
【００４２】
［実施例５］（図７）  
次に、本発明の実施例５に係る記録装置について説明する。  
図７は本発明の実施例５に係る記録装置１の要部であるキャリッジ１９に備えられた記録ヘッド７を表す概略図である。このうち、図７（Ａ）は記録ヘッド７の概略底面図であり、実施例１の記録装置１を表す図３（Ａ）に対応している。また、図７（Ｂ）は記録ヘッド７の概略正面図であり、実施例１の記録装置１を表す図３（Ｂ）に対応している。  
なお、上記実施例１から４と共通する構成部材は同じ符号で示しており、詳細な説明は省略する。  
本実施例の記録装置１は、キャリッジ１９に備えられた記録ヘッド７の構成及びその制御方法のみが実施例１から４の記録装置１と相違する。
【００４３】
実施例１及び２のキャリッジ１９は、第２ノズル列Ｎ２が走査方向Ｂにおいて第１ノズル列Ｎ１の両側に設けられる構成であった。また、実施例３及び４のキャリッジ１９は、第１ノズル列Ｎ１が走査方向Ｂにおいて第２ノズル列Ｎ２の両側に設けられる構成であった。  
一方、本実施例のキャリッジ１９は、図７で表されるように、第１ノズル列Ｎ１の走査方向Ｂにおける片側のみに第２ノズル列Ｎ２が設けられる構成である。
【００４４】
図７で表されるように、本実施例の記録装置１では、第１ノズル列Ｎ１は、走査方向Ｂにおいて、第２ノズル列Ｎ２の片側に設けられている。また、実施例１から４の記録装置と同様、キャリッジ１９は、走査方向Ｂに往復移動可能である。  
ここで、本実施例の制御部２３は、キャリッジ１９を走査方向Ｂに移動させつつ第１ノズル列Ｎ１及び第２ノズル列Ｎ２からインクＩを吐出させる場合、図７（Ｂ）で表されるように、走査方向Ｂのうちの往路方向Ｂ１及び復路方向Ｂ２のうちの、往路方向Ｂ１の移動のみにおいて、第１ノズル列Ｎ１及び第２ノズル列Ｎ２からインクＩを吐出させる。すなわち、キャリッジ１９を走査方向Ｂに移動させつつ第１ノズル列Ｎ１及び第２ノズル列Ｎ２からインクＩを吐出させた場合に、該移動中の該走査方向Ｂにおいて第２ノズル列Ｎ２よりも第１ノズル列Ｎ１が後方に位置する方向において、第１ノズル列Ｎ１及び第２ノズル列Ｎ２からインクＩを吐出させる。  
制御部２３がこのように制御をすることで、キャリッジ１９の移動方向における後方側に第２インクＩ２のカーテンが形成されることを抑制し、インクミストＩｍの付着を抑制できる。このため、本実施例の記録装置１は、ノズル列Ｎの数を増やすことなく、インクミストＩｍの付着を抑制することができる構成になっている。
【００４５】
［実施例６］（図８）  
次に、本発明の実施例６に係る記録装置について説明する。  
図８は本発明の実施例６に係る記録装置１の要部であるキャリッジ１９に備えられた記録ヘッド７を表す概略図である。このうち、図８（Ａ）は記録ヘッド７の概略底面図であり、実施例１の記録装置１を表す図３（Ａ）に対応している。また、図８（Ｂ）は記録ヘッド７の概略正面図であり、実施例１の記録装置１を表す図３（Ｂ）に対応している。  
なお、上記実施例１から５と共通する構成部材は同じ符号で示しており、詳細な説明は省略する。  
本実施例の記録装置１は、キャリッジ１９に備えられた記録ヘッド７の構成のみが実施例５の記録装置１と相違する。
【００４６】
実施例５のキャリッジ１９は、第１ノズル列Ｎ１と第２ノズル列Ｎ２との両方が設けられた記録ヘッド７を備えている構成であった。  
一方、本実施例のキャリッジ１９は、図８で表されるように、記録ヘッド７として、第１ノズル列Ｎ１が設けられた記録ヘッド７ａと、第２ノズル列Ｎ２が設けられた記録ヘッド７ｂと、を備える構成である。そして、第１ノズル列Ｎ１と第２ノズル列Ｎ２との位置関係及びその制御方法は、実施例５のキャリッジ１９と同様である。  
すなわち、本実施例の記録装置１は、実施例５の記録装置と同様に、インクミストＩｍの付着を抑制することができる構成になっている。
【００４７】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４８】
本発明の第１の態様の記録装置１は、インクＩを媒体Ｐに吐出可能な複数のノズルが並べられて構成されるノズル列Ｎとして、インクＩのうちの第１インクＩ１を吐出可能な第１ノズル列Ｎ１と、インクＩのうちの無色の第２インクＩ２を吐出可能な第２ノズル列Ｎ２と、が設けられ、走査方向Ｂに移動可能な走査部１９と、ノズル列ＮからのインクＩの吐出を制御可能な制御部２３と、を備え、第１ノズル列Ｎ１及び第２ノズル列Ｎ２は、走査方向Ｂと交差する方向に前記ノズルが並べられて各々構成されるとともに、走査方向Ｂから見て重なる位置に配置され、制御部２３は、走査部１９を走査方向Ｂに移動させつつ第２ノズル列Ｎ２から第２インクＩ２を吐出させ、該移動中における該第２インクＩ２の吐出領域に対して該第２インクＩ２の吐出の後に該移動中において第１ノズル列Ｎ１から第１インクＩ１を吐出させることを特徴とする。
【００４９】
本態様によれば、走査部１９を走査方向Ｂに移動させつつ第２ノズル列Ｎ２から第２インクＩ２を吐出させ、該移動中における該第２インクＩ２の吐出領域に対して該第２インクＩ２の吐出の後に該移動中において第１ノズル列Ｎ１から第１インクＩ１を吐出させる。すなわち、例えば、該移動中の該走査方向Ｂにおいて第２ノズル列Ｎ２よりも後方に位置する第１ノズル列Ｎ１から第１インクＩ１を吐出させる。例えば、第１インクＩ１として画像形成用のカラーインクを使用し、第２インクＩ２として浸透インクを使用した場合に、浸透インクを多く吐出させることに伴って生じる該浸透インクのカーテンにより画像形成用のカラーインクに起因するインクミストＩｍの逃げ道（走査方向Ｂにおける後方側）が遮断される、ということを抑制できる。このため、インクミストＩｍの付着を抑制することができる。
【００５０】
本発明の第２の態様の記録装置１は、前記第１の態様において、走査部１９は、走査方向Ｂに往復移動可能であり、第１ノズル列Ｎ１及び第２ノズル列Ｎ２は、少なくとも一方が複数設けられるとともに、走査方向Ｂのうちの往路方向Ｂ１及び復路方向Ｂ２の両方向において、第１ノズル列Ｎ１が第２ノズル列Ｎ２よりも後方に位置するよう配置され、制御部２３は、往路方向Ｂ１への走査部１９の移動と復路方向Ｂ２への走査部１９の移動とで、第１ノズル列Ｎ１及び第２ノズル列Ｎ２の少なくとも一方におけるインクＩを吐出するノズル列Ｎを切り替えることを特徴とする。
【００５１】
本態様によれば、走査部１９は、第１ノズル列Ｎ１及び第２ノズル列Ｎ２の少なくとも一方が複数設けられるとともに、走査方向Ｂのうちの往路方向Ｂ１及び復路方向Ｂ２の両方向において第１ノズル列Ｎ１が第２ノズル列Ｎ２よりも後方に位置するよう配置される。そして、制御部２３は、往路方向Ｂ１への走査部１９の移動と復路方向Ｂ２への走査部１９の移動とで、第１ノズル列Ｎ１及び第２ノズル列Ｎ２の少なくとも一方におけるインクＩを吐出するノズル列Ｎを切り替える。このため、このような構成とすることで、走査方向Ｂのうちの往路方向Ｂ１及び復路方向Ｂ２の両方向においてインクＩを吐出できるとともに、該両方向においてインクミストＩｍの付着を抑制することができる。
【００５２】
本発明の第３の態様の記録装置１は、前記第２の態様において、第１ノズル列Ｎ１は、走査方向Ｂにおいて、第２ノズル列Ｎ２の両側に設けられていることを特徴とする。
【００５３】
本態様によれば、第１ノズル列Ｎ１は走査方向Ｂにおいて第２ノズル列Ｎ２の両側に設けられている。すなわち、第１ノズル列Ｎ１を走査方向Ｂにおいて第２ノズル列Ｎ２の両側に設けることで、走査方向Ｂのうちの往路方向Ｂ１及び復路方向Ｂ２の両方向においてインクミストＩｍの付着を抑制することができる。
【００５４】
本発明の第４の態様の記録装置１は、前記第２又は第３の態様において、第２ノズル列Ｎ２は、走査方向Ｂにおいて、第１ノズル列Ｎ１の両側に設けられていることを特徴とする。
【００５５】
本態様によれば、第２ノズル列Ｎ２は走査方向Ｂにおいて第１ノズル列Ｎ１の両側に設けられている。すなわち、第２ノズル列Ｎ２を走査方向Ｂにおいて第１ノズル列Ｎ１の両側に設けることで、走査方向Ｂのうちの往路方向Ｂ１及び復路方向Ｂ２の両方向においてインクミストＩｍの付着を抑制することができる。
【００５６】
本発明の第５の態様の記録装置１は、前記第１の態様において、第１ノズル列Ｎ１は、走査方向Ｂにおいて、第２ノズル列Ｎ２の片側に設けられ、走査部１９は、走査方向Ｂに往復移動可能であり、制御部２３は、走査方向Ｂのうちの往路方向Ｂ１及び復路方向Ｂ２のうちの、走査部１９を走査方向Ｂに移動させつつ第１ノズル列Ｎ１及び第２ノズル列Ｎ２からインクＩを吐出させた場合に、該移動中の該走査方向Ｂにおいて第２ノズル列Ｎ２よりも第１ノズル列Ｎ１が後方に位置する方向において、第１ノズル列Ｎ１及び第２ノズル列Ｎ２からインクＩを吐出させることを特徴とする。
【００５７】
本態様によれば、第１ノズル列Ｎ１は走査方向Ｂにおいて第２ノズル列Ｎ２の片側に設けられ、往路方向Ｂ１及び復路方向Ｂ２のうちの第２ノズル列Ｎ２よりも第１ノズル列Ｎ１が後方に位置する方向においてインクＩを吐出させる。このため、ノズル列Ｎ数を増やすことなく、インクミストの付着を抑制することができる。
【００５８】
本発明の第６の態様の記録装置１は、前記第１から第５のいずれか１つの態様において、走査部１９は、第１ノズル列Ｎ１と第２ノズル列Ｎ２との両方が設けられた記録ヘッド７を備えることを特徴とする。
【００５９】
本態様によれば、走査部１９は第１ノズル列Ｎ１と第２ノズル列Ｎ２との両方が設けられた記録ヘッド７を備える。すなわち、走査部１９に第１ノズル列Ｎ１と第２ノズル列Ｎ２との両方が設けられた記録ヘッド７を備える記録装置１において、インクミストＩｍの付着を抑制することができる。
【００６０】
本発明の第７の態様の記録装置１は、前記第１から第６のいずれか１つの態様において、走査部１９は、第１ノズル列Ｎ１が設けられた記録ヘッド７ａと第２ノズル列Ｎ２が設けられた記録ヘッド７ｂとを備えることを特徴とする。
【００６１】
本態様によれば、第１ノズル列Ｎ１が設けられた記録ヘッド７ａと第２ノズル列Ｎ２が設けられた記録ヘッド７ｂとを備える。すなわち、走査部１９に第１ノズル列Ｎ１が設けられた記録ヘッド７ａと第２ノズル列Ｎ２が設けられた記録ヘッド７ｂとを備える記録装置１において、インクミストＩｍの付着を抑制することができる。
【符号の説明】
【００６２】
１…記録装置、２…繰出部、３…搬送機構、４…記録機構、５…繰出部２の回転軸、
６…従動ローラー、７、７ａ、７ｂ…記録ヘッド、８…第１駆動ローラー、
９…第２駆動ローラー、１０…粘着性ベルト、１１…従動ローラー、
１２…加圧ローラー、１３…洗浄ブラシ、１４…トレイ、１５…洗浄機構、
１７…巻取軸、１８…巻取機構、１９…キャリッジ（走査部）、
２１…入出力部、２２…ＰＣ、２３…制御部、２４…ＣＰＵ、
２５…システムバス、２６…ＲＯＭ、２７…ＲＡＭ、２８…ヘッド駆動部、
２９…モーター駆動部、３０…キャリッジモーター、３１…搬送モーター、
３２…繰出モーター、３３…巻取モーター、Ｆ…支持面、Ｉ…インク、
Ｉ１…第１インク、Ｉ２…第２インク、Ｉｍ…インクミスト、Ｎ…ノズル列、
Ｎ１…第１ノズル列、Ｎ２…第２ノズル列、Ｐ…被記録媒体（媒体）、
Ｒ１…被記録媒体Ｐのロール、  Ｒ２…被記録媒体Ｐのロール
【図１】
0006566190.tif 000002
【図２】
0006566190.tif 000003
【図３】
0006566190.tif 000004
【図４】
0006566190.tif 000005
【図５】
0006566190.tif 000006
【図６】
0006566190.tif 000007
【図７】
0006566190.tif 000008
【図８】
0006566190.tif 000009